【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】画像形成装置、画像形成装置の制御方法、記憶媒体
【手続補正２】
【補正対象書類名】明細書
【補正対象項目名】特許請求の範囲
【補正方法】変更
【補正の内容】
【特許請求の範囲】
【請求項１】  本文用の画像の像形成がなされた本文用の複数枚のシートで構成される本文用のシート束を背表紙部分を基準にカバー可能な表紙用の１枚のシートの為に画像処理を実行可能な画像処理装置であって、
前記本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、
前記制御手段は、
前記表紙用の１枚のシートの同一面上に表表紙用の画像と裏表紙用の画像を前記画像処理装置により配置させる場合に、操作手段を介して実行されたユーザの設定に基づいた変倍率で変倍された該表表紙用の画像と該裏表紙用の画像とを、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表紙用の１枚のシートの同一面上に、前記画像処理装置により、配置させる、ことを特徴とする画像処理装置。
【請求項２】  本文用の画像の像形成がなされた本文用の複数枚のシートで構成される本文用のシート束を背表紙部分を基準にカバー可能な表紙用の１枚のシートの為に画像処理を実行可能な画像処理装置であって、
本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、
前記制御手段は、
前記表紙用の１枚のシートの同一面上に表表紙用の画像と裏表紙用の画像を前記画像処理装置により配置させる場合に、操作手段を介して実行されたユーザの設定に基づいたサイズの該表紙用の１枚のシートの同一面上に、該表表紙用の画像と該裏表紙用の画像を、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、前記画像処理装置により、配置させる、ことを特徴とする画像処理装置。
【請求項３】  本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、
本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、操作手段を介して実行されたユーザの設定に基づいた変倍率で変倍された該表表紙用の画像と該裏表紙用の画像とを、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表紙用の１枚のシートの同一面上に、前記画像処理装置により、配置させる、ことを特徴とする制御方法。
【請求項４】  前記表表紙用の画像と前記裏表紙用の画像を前記表紙用の１枚のシートの同一面上に前記背表紙領域を挟んで隔離配置するための画像間隔を、前記操作手段を介してユーザにより、設定可能にし、且つ、前記表紙用の１枚のシートのサイズを前記操作手段を介してユーザにより設定可能にし、且つ、前記表表紙用の画像及び前記裏表紙用の画像の少なくとも何れかの画像サイズを前記操作手段を介してユーザにより設定可能にし、
前記操作手段を介して設定された前記画像間隔ならびに前記表紙用の１枚のシートのサイズおよび前記表表紙用の画像及び前記裏表紙用の画像の少なくとも何れかの画像サイズに基づいた変倍率で変倍された該表表紙用の画像と該裏表紙用の画像とを、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表紙用の１枚のシートの同一面上に、前記画像処理装置により、配置させる、ことを特徴とする請求項３記載の制御方法。
【請求項５】  本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、
本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、操作手段を介して実行されたユーザの設定に基づいたサイズの該表紙用の１枚のシートの同一面上に、該表表紙用の画像と該裏表紙用の画像を、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、前記画像処理装置により、配置させる、ことを特徴とする制御方法。
【請求項６】  前記表表紙用の画像と前記裏表紙用の画像を前記表紙用の１枚のシートの同一面上に前記背表紙領域を挟んで隔離配置するための画像間隔を、前記操作手段を介してユーザにより、設定可能にし、
前記操作手段を介して設定された前記画像間隔と前記表表紙用の画像及び前記裏表紙用の画像の少なくとも何れかの画像サイズとに基づいて、前記操作手段を介して設定された前記画像間隔で前記表表紙用の画像及び前記裏表紙用の画像を同一面上に前記背表紙領域を挟んで配置させる為の前記表紙用の１枚のシートとして最適なシートのサイズを、算出し、
前記画像処理装置が具備する複数の給紙手段のうちの、前記表紙用の１枚のシートとして最適なシートのサイズの算出結果に基づいたサイズのシートを収納する給紙手段のシートを用いて、前記表表紙用の画像及び前記裏表紙用の画像を前記画像間隔で該シートの同一面上に前記背表紙領域を挟んで配置させるように、前記画像処理装置が具備する画像形成手段により像形成を実行させる、ことを特徴とする請求項５記載の制御方法。
【請求項７】  前記画像処理装置が具備する給紙手段に、前記表紙用の１枚のシートとして最適なシートのサイズの算出結果に基づいたサイズのシートがセットされていない場合に、該算出結果に基づいたサイズのシートの補充指示を、前記操作手段を介してユーザに通知することを特徴とする請求項６記載の制御方法。
【請求項８】  該表表紙用の画像と該裏表紙用の画像とを、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表紙用の１枚のシートの同一面上に、配置させる為の画像データを、該表表紙用の画像データと該裏表紙用の画像データを記憶可能な前記画像処理装置が具備する記憶手段による該表表紙用の画像データと該裏表紙用の画像データの画像展開を経て、生成させる、ことを特徴とする請求項３〜７の何れかに記載の制御方法。
【請求項９】  前記表表紙用の画像データと前記裏表紙用の画像データの画像展開を前記記憶手段にて行う場合に、該記憶手段の主走査方向アドレスの指定制御、及び、該記憶手段の副走査方向アドレスの指定制御の、少なくとも何れかを行う、ことを特徴とする請求項８記載の制御方法。
【請求項１０】  前記表表紙用の画像データと前記裏表紙用の画像データの画像展開を前記記憶手段にて行う場合に、該記憶手段への画像データの書き込み時における主走査方向アドレスの指定制御、及び、該記憶手段からの画像データの読み出し時における主走査方向アドレスの指定制御の、少なくとも何れかを行う、ことを特徴とする請求項８又は９記載の制御方法。
【請求項１１】  前記表表紙用の画像データと前記裏表紙用の画像データの画像展開を前記記憶手段にて行う場合に、該記憶手段への画像データの書き込み時における副走査方向アドレスの指定制御、及び、該記憶手段からの画像データの読み出し時における副走査方向アドレスの指定制御の、少なくとも何れかを行う、ことを特徴とする請求項８〜１０の何れかに記載の制御方法。
【請求項１２】  前記画像処理装置が具備する原稿読取手段の読取処理により、前記表表紙用の画像データと前記裏表紙用の画像データを前記画像処理装置に入力する際に、前記読み取られる画像データを主走査方向に第１の所定数の画素および副走査方向に第２の所定数の画素の画素ブロック毎に分割し、該分割される各画素ブロック毎に画像データを符号化，復号化することを特徴とする請求項８〜１１の何れかに記載の制御方法。
【請求項１３】  通信手段を介して接続される情報処理装置からの画像データに対する処理を前記画像処理装置により実行可能にすることを特徴とする請求項３〜１２の何れかに記載の制御方法。
【請求項１４】  請求項３〜１３の何れかに記載の制御方法をコンピュータに実行させる為のプログラムを記憶したことを特徴とするコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、本文用の画像の像形成がなされた本文用の複数枚のシートで構成される本文用のシート束を背表紙部分を基準にカバー可能な表紙用の１枚のシートの為に画像処理を実行可能な画像処理装置の制御に関するものである。
【手続補正４】
【補正対象書類名】明細書
【補正対象項目名】０００８
【補正方法】変更
【補正の内容】
【０００８】
本発明は、上記の問題点を解決するためになされたもので、本発明の目的は、本文用の画像の像形成がなされた本文用の複数枚のシートで構成される本文用のシート束を背表紙部分を基準にカバー可能な表紙用の1枚のシートの同一面上に、表表紙用の画像と裏表紙用の画像を、画像処理装置により、配置させる場合に、背表紙幅を任意に変更しても該表表紙用の画像と該裏表紙用の画像が欠けることなく該表紙用の1枚のシートの同一面上に配置できる仕組みを提供することである。
【手続補正５】
【補正対象書類名】明細書
【補正対象項目名】０００９
【補正方法】変更
【補正の内容】
【０００９】
また、本発明の目的は、表表紙用の画像と裏表紙用の画像が欠けることない最適サイズの表紙用の1枚のシートの同一面上に該表表紙用の画像と該裏表紙用の画像を配置できる仕組みを提供することである。
【手続補正６】
【補正対象書類名】明細書
【補正対象項目名】００１０
【補正方法】変更
【補正の内容】
【００１０】
【課題を解決するための手段】
本発明に係る画像処理装置は、以下の特徴的構成を備える。
本文用の画像の像形成がなされた本文用の複数枚のシートで構成される本文用のシート束を背表紙部分を基準にカバー可能な表紙用の１枚のシートの為に画像処理を実行可能な画像処理装置であって、前記本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、前記制御手段は、前記表紙用の１枚のシートの同一面上に表表紙用の画像と裏表紙用の画像を前記画像処理装置により配置させる場合に、操作手段を介して実行されたユーザの設定に基づいた変倍率で変倍された該表表紙用の画像と該裏表紙用の画像とを、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表紙用の１枚のシートの同一面上に、前記画像処理装置により、配置させる、ことを特徴とする。
【手続補正７】
【補正対象書類名】明細書
【補正対象項目名】００１１
【補正方法】変更
【補正の内容】
【００１１】
また、本文用の画像の像形成がなされた本文用の複数枚のシートで構成される本文用のシート束を背表紙部分を基準にカバー可能な表紙用の１枚のシートの為に画像処理を実行可能な画像処理装置であって、本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、前記制御手段は、前記表紙用の１枚のシートの同一面上に表表紙用の画像と裏表紙用の画像を前記画像処理装置により配置させる場合に、操作手段を介して実行されたユーザの設定に基づいたサイズの該表紙用の１枚のシートの同一面上に、該表表紙用の画像と該裏表紙用の画像を、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、前記画像処理装置により、配置させる、ことを特徴とする。
【手続補正８】
【補正対象書類名】明細書
【補正対象項目名】００１２
【補正方法】変更
【補正の内容】
【００１２】
本発明に係る画像処理装置の制御方法は、以下の特徴的構成を備える。
本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、操作手段を介して実行されたユーザの設定に基づいた変倍率で変倍された該表表紙用の画像と該裏表紙用の画像とを、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表紙用の１枚のシートの同一面上に、前記画像処理装置により、配置させる、ことを特徴とする。
【手続補正９】
【補正対象書類名】明細書
【補正対象項目名】００１３
【補正方法】変更
【補正の内容】
【００１３】
また、本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、操作手段を介して実行されたユーザの設定に基づいたサイズの該表紙用の１枚のシートの同一面上に、該表表紙用の画像と該裏表紙用の画像を、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、前記画像処理装置により、配置させる、ことを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】０１８３
【補正方法】削除
【補正の内容】
【手続補正２０】
【補正対象書類名】明細書
【補正対象項目名】０１８４
【補正方法】削除
【補正の内容】
【手続補正２１】
【補正対象書類名】明細書
【補正対象項目名】０１８５
【補正方法】削除
【補正の内容】
【手続補正２２】
【補正対象書類名】明細書
【補正対象項目名】０１８６
【補正方法】削除
【補正の内容】
【手続補正２３】
【補正対象書類名】明細書
【補正対象項目名】０１８７
【補正方法】削除
【補正の内容】
【手続補正２４】
【補正対象書類名】明細書
【補正対象項目名】０１８８
【補正方法】削除
【補正の内容】
【手続補正２５】
【補正対象書類名】明細書
【補正対象項目名】０１８９
【補正方法】削除
【補正の内容】
【手続補正２６】
【補正対象書類名】明細書
【補正対象項目名】０１９０
【補正方法】削除
【補正の内容】
【手続補正２７】
【補正対象書類名】明細書
【補正対象項目名】０１９１
【補正方法】削除
【補正の内容】
【手続補正２８】
【補正対象書類名】明細書
【補正対象項目名】０１９２
【補正方法】削除
【補正の内容】
【手続補正２９】
【補正対象書類名】明細書
【補正対象項目名】０１９３
【補正方法】削除
【補正の内容】
【手続補正３０】
【補正対象書類名】明細書
【補正対象項目名】０１９４
【補正方法】削除
【補正の内容】
【手続補正３１】
【補正対象書類名】明細書
【補正対象項目名】０１９５
【補正方法】変更
【補正の内容】
【０１９５】
【発明の効果】
以上説明したように、本発明に係る第１、３の発明によれば、本文用の画像の像形成がなされた本文用の複数枚のシートで構成される本文用のシート束を背表紙部分を基準にカバー可能な表紙用の1枚のシートの同一面上に、表表紙用の画像と裏表紙用の画像を、画像処理装置により、配置させる場合に、背表紙幅を任意に変更しても該表表紙用の画像と該裏表紙用の画像が欠けることなく該表紙用の1枚のシートの同一面上に配置でき、請求項２、４記載の発明によれば、表表紙用の画像と裏表紙用の画像が欠けることない最適サイズの表紙用の1枚のシートの同一面上に該表表紙用の画像と該裏表紙用の画像を配置できる等の効果を奏する。